(57)【要約】【課題】厳しい治験管理、厳密なトレーサビリティ管理、実験や検査の厳密な管理を行うことができ、また、コンピュータシステムとの親和性に優れた特性を持つＲＦＩＤチップ一体埋め込みゲルシステムを提供する。【解決手段】ゲル状の含水層と、該含水層の片面に備えられるフィルム状支持体と、前記含水層中あるいは前記フィルム状支持体上に備えられたアンテナ内蔵ＲＦＩＤ（Radio Frequency Identification）チップとを備えることを特徴とするＲＦＩＤチップ一体埋め込みゲルシステムとする。【選択図】図１
2014109824.tif 000002
【特許請求の範囲】
【請求項１】
ゲル状の含水層と、該含水層の片面に備えられるフィルム状支持体と、前記含水層中あるいは前記フィルム状支持体上に備えられたアンテナ内蔵ＲＦＩＤ（Radio Frequency Identification）チップとを備えることを特徴とするＲＦＩＤチップ一体埋め込みゲルシステム。
【請求項２】
前記アンテナ内蔵ＲＦＩＤチップのデータ読み書き特性を向上させるための補助アンテナを備えることを特徴とする請求項１記載のＲＦＩＤチップ一体埋め込みゲルシステム。
【請求項３】
前記補助アンテナが、電子回路が施された樹脂膜であることを特徴とする請求項１又は２記載のＲＦＩＤチップ一体埋め込みゲルシステム。
【請求項４】
前記含水層が、ポリアクリル酸ナトリウム、ポリアクリル酸、カラギーナン、バイオセルロース等のハイドロゲル及び金属多価塩からなる群より選択される少なくとも１種を含むことを特徴とする請求項１乃至３いずれかに記載のＲＦＩＤチップ一体埋め込みゲルシステム。
【発明の詳細な説明】
【技術分野】
【０００１】
本発明は、厳しい治験管理、厳密なトレーサビリティ管理、実験や検査の厳密な管理を行うことができ、また、コンピュータシステムとの親和性に優れた特性を持つＲＦＩＤチップ一体埋め込みゲルシステムに関するものである。
【背景技術】
【０００２】
ゲルの特徴は、エネルギー吸収性などの機械的特性に極めて優れていること、および人体のあらゆる器官の形成と機能に重要な役割を果たしている人体物質ゲルとの親和性に優れていることである。また、用途に応じて、その特性を多様に変化させることができることも特徴である。
【０００３】
人体物質ゲルとの親和性を利用したものとしては、医療用品への応用があり、人工皮膚、眼科用生体材料、人工関節、透析膜などがある。なかでも、経皮薬剤としてのパッチシステムは、新しい投薬システムとしていくつかの優れた特性を持ち、期待されている。
これらの応用については厳しい治験を行わなければならず、治験中のパッチシステムについては、厳密な管理が求められる。しかし、従来のパッチシステムについては、このような厳密な管理とデータ取得が困難であった。
また、実用の場においては、治療の経過についての厳密なトレーサビリティが必要である。このため、ゲルシステムのシート表面に薬剤名、患者名、処方日時などを油性ペンで書き込んだり、それらを記入したラベルを貼り付けたりといった方法が行われてきた。
【０００４】
しかしながら、この方法では油性ペン等で記入した文字が時間の経過や外的要因により判別しにくくなったり、あるいはラベリングが剥がれた際に種類の異なるパッチ剤に誤って貼り直してしまったりするという可能性があり、厳密なトレーサビリティが達成できるとはいえない。また、パッチ剤のサイズが小さい場合には、文字を記入できるスペースも小さくなるため、記載できる情報が限られるという問題もある。
【０００５】
特許文献１には、ＲＦＩＤ（Radio Frequency Identification）チップをシリンダ部材の外周面に装着した薬液注入システムが記載されている。しかし、パッチシステムにＲＦＩＤチップを利用したものは未だ存在していない。
【０００６】
また、人体物質ゲルとの親和性を利用したものとして、微生物や細胞の培養シートへの応用が重要である。これは、新しい治療の実現や安全な食生活に不可欠な領域である。
このような微生物や細胞の培養シートの領域においては、実験や検査の厳密な管理が成果の質を左右する。従来のゲルシステムは、このような実験や検査の厳密な管理を満足させることができるものは存在しなかった。
【先行技術文献】
【特許文献】
【０００７】
【特許文献１】特許第４７６９１９７号公報
【発明の開示】
【発明が解決しようとする課題】
【０００８】
本発明は、上述したような問題点を解決すべくなされたものであって、厳しい治験管理、厳密なトレーサビリティ管理、実験や検査の厳密な管理を行うことができ、また、コンピュータシステムとの親和性に優れた特性を持つＲＦＩＤチップ一体埋め込みゲルシステムを提供するものである。
【課題を解決するための手段】
【０００９】
請求項１に係る発明は、ゲル状の含水層と、該含水層の片面に備えられるフィルム状支持体と、前記含水層中あるいは前記フィルム状支持体上に備えられたアンテナ内蔵ＲＦＩＤ（Radio Frequency Identification）チップとを備えることを特徴とするＲＦＩＤチップ一体埋め込みゲルシステムに関する。
【００１０】
請求項２に係る発明は、前記アンテナ内蔵ＲＦＩＤチップのデータ読み書き特性を向上させるための補助アンテナを備えることを特徴とする請求項１記載のＲＦＩＤチップ一体埋め込みゲルシステムに関する。
【００１１】
請求項３に係る発明は、前記補助アンテナが、電子回路が施された樹脂膜であることを特徴とする請求項１又は２記載のＲＦＩＤチップ一体埋め込みゲルシステムに関する。
【００１２】
請求項４に係る発明は、前記含水層が、ポリアクリル酸ナトリウム、ポリアクリル酸、カラギーナン、バイオセルロース等のハイドロゲル及び金属多価塩からなる群より選択される少なくとも１種を含むことを特徴とする請求項１乃至３いずれかに記載のＲＦＩＤチップ一体埋め込みゲルシステムに関する。
【発明の効果】
【００１３】
請求項１に係る発明によれば、アンテナ内蔵ＲＦＩＤチップが一体となって埋め込まれたゲルシステムであるので、厳しい治験管理、厳密なトレーサビリティ管理、実験や検査の厳密な管理を達成することができる。また、コンピュータシステムとの親和性に優れた特性を有する。さらに、アンテナ内蔵ＲＦＩＤチップが備えられた状態で使用することができるので、使用中にもチップに格納された情報を知ることが可能となる。
また、アンテナ内蔵ＲＦＩＤチップはゲル状の含水層中あるいはフィルム状支持体上に備えられているので、アンテナ内蔵ＲＦＩＤチップを所望の向きに設定することができる。これにより、データの読み書き特性を向上させることができる。
また、アンテナ内蔵型のＲＦＩＤチップを使用するので、チップのサイズを小さくすることができる。
【００１４】
請求項２に係る発明によれば、補助アンテナを備えることにより、アンテナ内蔵ＲＦＩＤチップのデータ読み書き特性を向上させることができる。
【００１５】
請求項３に係る発明によれば、補助アンテナが、電子回路が施された樹脂膜であることにより、他の機能を持った電子回路を構成することが可能となる。これにより、単なるＲＦＩＤチップの能力以上の機能を実現することが可能となる。
【００１６】
請求項４に係る発明によれば、前記含水層が、ポリアクリル酸ナトリウム、ポリアクリル酸、カラギーナン、バイオセルロース等のハイドロゲル及び金属多価塩からなる群より選択される少なくとも１種を含むことにより、含水層を容易にゲル状にすることができる。
【図面の簡単な説明】
【００１７】
【図１】本発明に係る実施形態のＲＦＩＤチップ一体埋め込みゲルシステムの断面図である。
【図２】アンテナ内蔵ＲＦＩＤチップと補助アンテナの位置関係の一例を示す図である。
【図３】本発明のＲＦＩＤチップ一体埋め込みゲルシステムの製造方法を説明するための図である。
【図４】図３に示す製造方法で製造されたＲＦＩＤチップ一体埋め込みゲルシステムの利点を説明するための図である。
【図５】本発明の第２実施形態のＲＦＩＤチップ一体埋め込みゲルシステムの断面図である。
【図６】本発明のＲＦＩＤチップ一体埋め込みゲルシステムの使用に関するフローチャートである。
【図７】本発明のＲＦＩＤチップ一体埋め込みゲルシステムの使用に関するフローを示す図である。
【発明を実施するための形態】
【００１８】
以下、本発明に係るＲＦＩＤチップ一体埋め込みゲルシステムについて図面を参照しながら説明する。
【００１９】
図１は本発明に係る実施形態のＲＦＩＤチップ一体埋め込みゲルシステムの断面図である。図１において、（１）は本発明のＲＦＩＤチップ一体埋め込みゲルシステム、（２）は含水層、（３）はフィルム状支持体、（４）はアンテナ内蔵ＲＦＩＤチップ（Radio Frequency Identification）を示す。
本発明に係るＲＦＩＤチップ一体埋め込みゲルシステム（１）は、ゲル状の含水層（２）と、含水層（２）の片面に備えられるフィルム状支持体（３）と、含水層（２）中あるいはフィルム状支持体（３）上に備えられたアンテナ内蔵ＲＦＩＤチップ（４）とを備える。図１においては、アンテナ内蔵ＲＦＩＤチップ（４）は含水層（２）中に備えられている。
【００２０】
含水層（２）は、少なくとも５０重量％の水分を保持し、水溶性高分子を金属イオンにより架橋してゲル化される。例えば、ポリアクリル酸ナトリウム、ポリアクリル酸、カラギーナン、バイオセルロース等のハイドロゲル、及び金属多価塩が好適に含まれる。この多価金属塩としては、例えば、アルミニウム塩、マグネシウム塩、カルシウム塩等が挙げられるが特に限定されない。
含水層（２）は、任意に、保存剤、乳化剤、ｐＨ調整剤、吸収促進剤等を含んでも良い。
【００２１】
含水層（２）の厚みは用途に応じて適宜調整されるが、好ましくは５００〜３０００μｍである。この理由は、３０００μｍを超えると製造時に含水層の厚みがバラつき易く、また貼付時に重み、ズレを感じる可能性があり、５００μｍ未満の場合は単位面積あたりの必要な効能成分含有量が少なく効能効果が期待出来ないため、さらには単位面積あたりの含水量が低下することにより使用感に優れないという理由から、いずれの場合も好ましくないからである。
本発明のＲＦＩＤチップ一体埋め込みゲルシステムの含水層表面に、任意に、ポリエチレンフィルム、ポリプロピレンフィルム、ＯＰＰフィルム、ポリエチレンをラミネートした紙等のカバーフィルムを敷いてもよい。これにより、含水層の乾燥、汚染等を防ぐことができる。
【００２２】
フィルム状支持体（３）としては、ポリウレタン、ポリエステル、ポリアミド、ポリオレフィン、ポリスチレン、ポリ塩化ビニル等、或いは天然ゴム、合成ゴム等が挙げられるが、好ましくは、ポリウレタン、ポリエステル、ポリオレフィン、ポリアミド、より望ましくはポリエステル、ポリウレタンである。
フィルム状支持体（３）の厚みは用途に応じて適宜調整されるが、好ましくは２μｍ〜２００μｍである。この理由は、２００μｍを超えると支持体の伸縮性が損なわれ、貼付時に違和感を感じ、また、２μｍ未満の場合は支持体にコシが無く、貼付時に貼付作業が困難になるため、いずれの場合も好ましくないからである。
【００２３】
本発明に係るＲＦＩＤチップ一体埋め込みゲルシステム（１）は、含水層（２）中あるいはフィルム状支持体（３）上にアンテナ内蔵ＲＦＩＤチップ（４）を備える。
アンテナ内蔵ＲＦＩＤチップ（４）が含水層（２）中に備えられている場合は、アンテナ内蔵ＲＦＩＤチップ（４）が容易に脱落せず、破損も防ぐことができるという利点がある。
アンテナ内蔵ＲＦＩＤチップ（４）がフィルム支持体（３）上に備えられている場合は、アンテナ内蔵ＲＦＩＤチップ（４）のデータの読み書き特性に優れるという利点がある。
図１に示すように、本発明に係るＲＦＩＤチップ一体埋め込みゲルシステム（１）は、アンテナ内蔵ＲＦＩＤチップ（４）が一体となって埋め込まれたゲルシステムであるので、厳しい治験管理、厳密なトレーサビリティ管理、実験や検査の厳密な管理を達成することができる。また、コンピュータシステムとの親和性に優れた特性を有する。さらに、アンテナ内蔵ＲＦＩＤチップ（４）が備えられた状態で使用することができるので、使用中にもチップに格納された情報を知ることが可能となる。
【００２４】
アンテナ内蔵ＲＦＩＤチップ（４）には、ゲルシステムについての管理情報が記憶されている。管理情報としては、処理担当者名、サンプルのＩＤ、ゲルの種類、薬剤名、処理予定日時、処理終了予定日時などを挙げることができ、その他必要な情報がアンテナ内蔵ＲＦＩＤチップ（４）に記憶される。使用者は、ＲＦＩＤリーダを用いてアンテナ内蔵ＲＦＩＤチップ（４）に記憶された管理情報を読み取ることができる。
アンテナ内蔵ＲＦＩＤチップ（４）においては、アンテナ部の向きがデータ読み書き特性に影響を与える。よって、アンテナ内蔵ＲＦＩＤチップ（４）をデータ読み書き特性に最適な向きに保持する必要がある。アンテナ内蔵ＲＦＩＤチップ（４）はゲル状の含水層（２）中あるいはフィルム状支持体（３）上に備えられているので、アンテナ内蔵ＲＦＩＤチップ（４）を所望の向きに設定することができる。これにより、データの読み書き特性を向上させることができる。
【００２５】
本発明においては、ＲＦＩＤチップとしてアンテナ内蔵型のものが用いられ、アンテナ内蔵ＲＦＩＤチップは、使用周波数がＵＨＦ帯以下のものが好適に用いられる。
高周波数のチップは、チップのメモリーへユーザが自由に書き込みをできないという欠点がある。
よって、本発明においては、ユーザが情報を自由に書き込むことができる低い周波数（ＵＨＦ帯以下）のチップを用いる。低周波数のチップを用いる場合、アンテナのサイズが大きくなってしまうので、これを防ぐためにチップの大きさを２ｍｍ角程度にしてアンテナをチップの上に作るタイプ、即ちアンテナ内蔵型のＲＦＩＤチップを用いる。
【００２６】
ＲＦＩＤチップ一体埋め込みゲルシステム（１）は、補助アンテナ（５）を備えることが好ましい。補助アンテナ（５）を備えることにより、アンテナ内蔵ＲＦＩＤチップ（４）のデータ読み書き特性を向上させることができる。これにより、ＲＦＩＤリーダを用いてアンテナ内蔵ＲＦＩＤチップ（４）に記憶された管理情報を読み取る際、あるいは情報を書き込む際に、ゲルシステム（１）からある程度離れた位置からでも読み書きが可能となり、即ち読み書きが容易になる。
補助アンテナ（５）は、特に限定されるものではなく、樹脂膜（フィルム）に電子回路（アンテナ）が施されているものを好適に用いることができる。また、他の機能を持った電子回路を樹脂膜に印刷することにより、単なるＲＦＩＤチップの能力以上の機能を実現することも可能となる。
【００２７】
図２は、アンテナ内蔵ＲＦＩＤチップ（４）と補助アンテナ（５）の位置関係の一例を示す図である。
アンテナ内蔵ＲＦＩＤチップ（４）と補助アンテナ（５）は通常物理的に接触しているが、接触していなくても動作は可能である。アンテナ内蔵ＲＦＩＤチップ（４）と補助アンテナ（５）との間には、電気的接触は必要ない。補助アンテナ（５）は、アンテナ内蔵ＲＦＩＤチップ（４）と同様に含水層（２）中あるいはフィルム支持体（３）上に備えられる。
図５は、本発明に係る第２実施形態のＲＦＩＤチップ一体埋め込みゲルシステムを示す図である。
図５に示すように、アンテナ内蔵ＲＦＩＤチップ（４）が含水層（２）内に備えられ、補助アンテナ（５）がフィルム状支持体（３）上に備えられていてもよい。
【００２８】
本発明のＲＦＩＤチップ一体埋め込みゲルシステム（１）は、フィルム状支持体（３）と含水層（２）の間にプライマー層（図示せず）を備えていてもよい。このプライマー層は、好ましくは、少なくとも第３級アミン及びガラス転移温度が５０℃以下のポリマーを含む。
前記プライマー層の厚みは、好ましくは０．１〜５０μｍである。この理由は、５０μｍを超えるとプライマー層の伸長回復率とプライマー層の透明性がともに低下し、０．１μｍ未満の場合はプライマー層の破断点伸度及び強度に低下傾向が確認される為いずれの場合も好ましくないからである。
【００２９】
前記第３級アミンとしては、ジメチルＣ１６−Ｃ２２アミン、Ｎ，Ｎ―ジラウリルーＮ―メチルアミン、アルキルベンジルジメチルアンモニウムクロライド、ステアリルトリメチルアンモニウムクロライド、３−オクタデシルオキシプロピルーＮ,Ｎ,Ｎートリメチルアンモニウムクロライド、ココナットトリメチルアンモニウムクロライド、ジメチルパルミチルアミン、アルキルプロピレンジアミンが挙げられる。前記第３級アミンを使用した場合、特に含水層との投錨性に優れる。
【００３０】
前記ガラス転移温度が５０℃以下のポリマーは、好ましくは、熱可塑性エラストマー及び／又はゴムが使用される。具体的には、ポリエステル、ポリウレタン、ポリアミド、ポリオレフィン、ポリ塩化ビニル等、或いは天然ゴム、合成ゴム等のゴムが挙げられるが、好ましくは、ポリアミド、ポリエステル、ポリウレタン、より望ましくは、ポリエステル、ポリウレタンである。これらのポリマーは、接着層に耐水性と伸縮性を付与することができる。尚、本発明で使用する第３級アミンは、耐水性を有するとともに、前記ガラス転移温度が５０℃以下のポリマー溶液との相溶性に優れている。
【００３１】
第３級アミン及びガラス転移温度が５０℃以下のポリマーを溶解する溶媒としては、第３級アミン及びガラス転移温度が５０℃以下のポリマーを溶解することができる溶媒であれば特に限定されない。本発明においては、トルエン、ベンゼン、キシレン、ヘキサン、ヘプタン、酢酸エチル、メチルエチルケトンなどの炭化水素系溶媒；アセトニトリル、プロピオニトリルなどのニトリル系溶媒；ジクロロメタン、１，２−ジクロロエタン、クロロホルム、四塩化炭素、クロロベンゼン、ブロモベンゼンなどのハロゲン化炭化水素系溶媒；テトラヒドロフラン、１，４−ジオキサンなどのエーテル系溶媒等の有機溶媒が好ましく使用される。これらは単独で用いてもよいし複数を混合して用いてもよい。
【００３２】
第３級アミンとガラス転移温度が５０℃以下のポリマーは、前記溶液中、好ましくは１：１〜１００（重量比）、より好ましくは１：５〜７０（重量比）とされる。この理由は、第３級アミンとガラス転移温度が５０℃以下のポリマーが前記重量比で含まれる接着層は、特に耐水性に優れるとともに、支持体との密着性、含水層との投錨性に優れる。
【００３３】
ＲＦＩＤチップ一体埋め込みゲルシステム（１）がパッチシステムとして用いられる場合、薬剤は含水層（２）に含有される。図１における含水層（２）の下面が使用時皮膚表面に接触する面である。
薬剤は目的により種々のものを添加でき、例えば、アルツハイマー、禁煙、狭心症、リウマチ、脳卒中、癌などの治療薬剤を添加することができる。薬剤の添加量は薬剤の種類により適宜調整される。パッチシステムが皮膚に貼られることにより、含水層（２）中に含まれる薬剤が経皮ルートで投与される。
本発明に係る含水層はゲル状であるから、使用時には優れた使用感・感触を提供することができる。
【００３４】
ＲＦＩＤチップ一体埋め込みゲルシステム（１）が微生物や細胞等の培養シートとして用いられる場合、微生物や細胞等の培養物を含水層（２）に含有することができる。あるいは、含水層（２）上に培養ゲル層を設けてその培養ゲル層に培養物を含有させてもよい。あるいは、培養物を含む培養層にゲルシステム（１）を付加する構造としてもよい。
【００３５】
以下、本発明のＲＦＩＤチップ一体埋め込みゲルシステムの使用方法について、フローチャートを用いて説明する。図６は、本発明のＲＦＩＤチップ一体埋め込みゲルシステムの使用に関するフローチャート、図７は、本発明のＲＦＩＤチップ一体埋め込みゲルシステムの使用に関するフローを示す図である。
まず、処理担当者名、サンプルのＩＤ、ゲルの種類、薬剤名、処理予定日時、処理終了予定日時などの情報を、ＲＦＩＤチップに書き込む（手順１）。
ＲＦＩＤチップ一体埋め込みゲルシステムの使用を開始したら、ＲＦＩＤリーダによって所定情報の読み取り確認を行い、実際のゲルシステムの使用開始日時を書き込む（手順２）。
次いで、データベースへＲＦＩＤチップの情報を記録した後（手順３）、ＲＦＩＤリーダで、処理の予定終了時刻等の各種情報の確認を行う。処理予定終了時刻であった場合（図６におけるＹＥＳ）、処理担当者名、サンプルＩＤ、ゲルの種類、薬剤名、処理予定日時、処理終了予定日時などの情報をデータベースへ書き込んで終了する（手順４）。処理予定終了時刻でなかった場合（図６におけるＮＯ）、一定時間経過後、再度ＲＦＩＤリーダで、処理の予定終了時刻等の各種情報の確認を行い、以下同様の手順を踏む。
【００３６】
以下、本発明のＲＦＩＤチップ一体埋め込みゲルシステムの製造方法について説明するが、以下に示す製造方法は一例であり、本発明のＲＦＩＤチップ一体埋め込みゲルシステムの製造方法を限定するものではない。
【００３７】
図３は、本発明のＲＦＩＤチップ一体埋め込みゲルシステムの製造方法を説明するための図である。
まず、片面に凹部（６１）が形成されたシート部材（６）を準備する。
シート部材（６）は、任意の材料により形成され、例えば、ポリプロピレン、ＰＥＴ等の合成樹脂により製造される。
シート部材（６）の厚さは特に限定されないが、０．０５〜０．８ｍｍとされ、この厚さのシート部材（６）は好適に製造することができる。尚、この厚さは、好ましくは、各部において略均一とされる。
凹部（６１）の深さは、好ましくは、０．１〜５ｍｍ、更に好ましくは、０．５〜３ｍｍとされる。
【００３８】
シート部材（６）の凹部（６１）には、含水層（２）の材料が流し込まれる。含水層（２）の材料については、本発明のＲＦＩＤチップ一体埋め込みゲルシステムの実施形態のところで説明したとおりである。
凹部（６１）の形状は、限定されるものではなく、四角形状や丸形状、その他任意の形状とすることができる。凹部（６１）は熱成型、真空成形等により形成することができる。
凹部（６１）内に流し込む材料の量は、特に限定されないが、含水層（２）が所望の厚みになるように決定するとよい。
含水層（２）の材料を凹部（６１）に流し込んで含水層（２）が硬化（ゲル化）するまで一定時間待つ。この一定時間は、１０〜３０分、好ましくは約２０分であり、この放置時間を設けることにより、含水層（２）は適度に硬化し、厚みを有するようになる。
【００３９】
次いで、アンテナ内蔵ＲＦＩＤチップ（４）及び必要に応じて補助アンテナ（５）をフィルム状支持体（３）の上側もしくは下側に配置する。アンテナ内蔵ＲＦＩＤチップ（４）及び補助アンテナ（５）は、予めフィルム状支持体（３）の上面又は下面に貼り付けておき、フィルム状支持体（３）を含水層（２）上に載置することにより配置するようにしてもよい。
【００４０】
次いで、シート部材（６）の凹部（６１）に対応する形状に切断されたフィルム状支持体（３）を含水層（２）上に配置する。上述したように、フィルム状支持体（３）には予めアンテナ内蔵ＲＦＩＤチップ（４）及び補助アンテナ（５）が貼り付けられていてもよい。これにより、最下層に含水層（２）、その上にフィルム状支持体（３）が積層された構造となる（図３（ｂ）参照）。
アンテナ内蔵ＲＦＩＤチップ（４）及び補助アンテナ（５）は、ゲル状の含水層（２）中あるいはフィルム状支持体（３）上に保持され、図４に示すように、アンテナ内蔵ＲＦＩＤチップ（４）及び補助アンテナ（５）の向きを所望の向き、即ちデータ読み書き特性に最適な向きに保持することが可能となる。
【００４１】
フィルム状支持体（３）の製造方法は、特に限定されないが、例えば熱可塑性樹脂（ポリウレタン、ポリエステル等（１００重量部）、塩化ステアリルトリメチルアンモニウム（０．５重量部）、及びＰ−メトキシフェノール（０．０３重量部）を混合したもの）を、Ｔダイ成形、ブロー成形、キャスティングして得られ適宜表面処理することにより、フィルム状支持体（３）を得ることができる。
【産業上の利用可能性】
【００４２】
本発明は、アルツハイマー型認知症、禁煙、狭心症、パッチ型ワクチンや、リウマチ、脳卒中、がん等に対する薬剤、および微生物や細胞の培養シートなどに好適に利用される。
【符号の説明】
【００４３】
１    ＲＦＩＤチップ一体埋め込みゲルシステム
２    含水層
３    フィルム状支持体
４    アンテナ内蔵ＲＦＩＤチップ
５    補助アンテナ
６    シート部材
６１  凹部
【図１】
2014109824.tif 000003
【図２】
2014109824.tif 000004
【図３】
2014109824.tif 000005
【図４】
2014109824.tif 000006
【図５】
2014109824.tif 000007
【図６】
2014109824.tif 000008
【図７】
2014109824.tif 000009